(57)【要約】本発明の固定部材はネジ部（１５０）と、このネジ部を回転して固定部材を対応部材に締結するヘッド（１００）とを含んで成る。ヘッド（１００）はネジ部（１５０）に固着されたプレート（１１０）と、このプレートを覆うカバー（１２０）から成る。カバー（１２０）は空洞部（１２１）と、その内部に設けられてハウジング（１２８）を形成する凹部とを含んで成る。プレート（１１０）にはガイドフィンガー（１１１）が備わり、ハウジング（１２８）内に配置されて端部係止部を形成し、この係止部に上記カバーがもたれて上記プレートを締め方向に回転する。カバー（１２０）にはまた、遠隔問い合わせ可能で、データ記憶手段を含む電子部品（１３０）が備えられている。この電子部品（１３０）は空洞部（１２１）に保持され、ハウジング（１２８）内に突出（１３３）し、固定部材を緩めようとする試みがなされると、ガイドフィンガー（１１１）に当たり、上記部品を破断させるようになっている。
2006504912.tif 000002
【特許請求の範囲】
【請求項１】
ネジ部（１５０）と、このネジ部を回転して締結部材を対応部材に締め込むことのできるヘッド（１００）とを備える締結部材であって、
上記ヘッド（１００）がネジ部（１５０）と一体のプレート（１１０）と、このプレートを覆うキャップ（１２０）から成り、
キャップ（１２０）には、ハウジング（１２８）を形成するオフセット付き凹部（１２１）が備わり、
プレート（１１０）には上記ネジ部の反対側から垂直に延びるガイドフィンガー（１１１）が備わり、このフィンガーはハウジング（１２８）の内側に位置してキャップの押圧を受ける係止部を形成し、プレートを締め付け方向に回転移動するようにして成り、
キャップ（１２０）には更に、データ記憶手段（１３２）を備えた、遠隔問い合わせ可能な電子素子（１３０）が備わり、ハウジング（１２８）内で突起（１３３）を形成しつつ凹部（１２１）内に保持され、締結部材の締め付け解除時には、ガイドフィンガーに対して当接するようにして成ることを特徴とする締結部材。
【請求項２】
前記プレートとキャップにそれぞれ設けられた第１の溝（１１２）と第２の溝（１２６）に係合して上記キャップを上記プレート上の軸方向所定位置に保持するリング（１１４）を備えて成ることを特徴とする請求項１に記載の締結部材。
【請求項３】
電子部品（１３０）をハウジング（１２３）内に保持する保持部材（１４０）を備えて成ることを特徴する請求項１又は２に記載の締結部材。
【請求項４】
前記キャップには更に、ハウジング（１２８）内の、該ハウジング内に突出する前記部品の端部（１３３）とガイドフィンガー（１１１）との間に剪断可能なピン（１２４）が配置されて成ることを特徴とする請求項１〜３の何れか一つに記載の締結部材。
【請求項５】
プレート（２１０）が僅かに長円の形状を呈し、締め付け力も締め付け解除力も印加されないときキャップ（２２０）が回転しないようにして成ることを特徴とする請求項１〜４の何れか一つに記載の締結部材。
【請求項６】
前記キャップがＰＶＣから成ることを特徴とする請求項１〜５の何れか一つに記載の締結部材。
【請求項７】
前記ネジ部及びプレートがステンレススチールから成ることを特徴とする請求項１〜６の何れか一つに記載の締結部材。
【請求項８】
電子部品（１３０）が受動型のトランスポンダであることを特徴とする請求項１〜７の何れか一つに記載の締結部材。
【請求項９】
電子部品（１３０）が電力供給手段を備えたトランスポンダであることを特徴とする請求項１〜７の何れか一つに記載の締結部材。
【請求項１０】
電子部品（１３０）のデータ記憶手段がデータ暗号化手段を備えて成ることを特徴とする請求項１〜９の何れか一つに記載の締結部材。
【請求項１１】
電子部品（１３０）のデータ記憶手段がプログラマブル又はマルチページ形式のものであることを特徴とする請求項１〜１０の何れか一つに記載の締結部材。
【請求項１２】
更に第２の遠隔問い合わせ可能な電子部品（３６０）を備え、該第２の部品がキャップ（３２０）内、凹部（３２１）の外側に位置付けられて成ることを特徴とする請求項１〜１１の何れか一つに記載の締結部材。
【発明の詳細な説明】
【技術分野】
【０００１】
本発明は、保全性の検査を電子的にできるようにしたネジ止め又はピン止め締結部材に関する。
【背景技術】
【０００２】
保管又は輸送中の物質（例えば有害物質、放射性物質等）の保全及びその不法処理の検査のための解決策は、電子的、機械的手段を問わず数多くある。また、モーター、飛行機部品等の装置の、承認の無い接近又は操作を検証するための解決策も幾つかある。
【０００３】
封をするのに用いられる技術はいろいろあり、主としてその用途、及び要求される安全度による。
【０００４】
従って、目的が単に、容器やカバン等の対象物の保全を確保することであれば、封の機能は、対象物が承認なしに開けられずに置くことである。この場合、簡単なプラスティック又は金属製の留め輪等の廉価な装置を対象物の開封具に固定するもので十分と云える。留め輪の構造の保全性を単に目視で検査することが、開封されているかどうかの決定に必要な全てである。
【０００５】
一方、封が対象物の未開封状態を証明する基本機能を果たすことのみならず、使用中の情報を提供できる必要のある領域が益々増えている。従って、機械的封止に、情報の監視と送信のできる電気的又は光学的手段を付随させた装置も現在では利用可能になっている。
【０００６】
だが、現在利用可能な電子手段付き封止装置は複雑、且つ高価である。そして、一般に特定の目的に対して設計されたものであり、任意の対象物に用いることはできない。そして、機械構造が脆く、そのため取り扱いや輸送中に損傷を受け易く、これが用途を更に制限する要因となっている。
【発明の開示】
【発明が解決しようとする課題】
【０００７】
本発明の目的は、上記の欠点を改善し、多数の用途に適用でき、機械的に強健であるが廉価な、検査可能な保全装置を備える締結部材を提供することにある。この装置の保全性は高い信頼性で、且つ容易に検査可能である。
【課題を解決するための手段】
【０００８】
これ等の目的を達成する締結部材はネジ部と、このネジ部を回転して締結部材を対応部材に締め込むことのできるヘッドとを備える締結部材であって、
上記ヘッドが上記ネジ部と一体のプレートと、このプレートを覆うキャップから成り、このキャップには、ハウジングを形成するオフセット付き凹部が備わり、上記プレートには上記ネジ部の反対側から垂直に延びるガイドフィンガーが備わり、このフィンガーは上記ハウジングの内側に位置して上記キャップの押圧を受ける係止部を形成し、上記プレートを締め付け方向に回転移動するようにして成り、上記キャップには更に、データ記憶手段を備えた、遠隔問い合わせ可能な電子素子が備わり、上記ハウジング内で突起を形成しつつ上記凹部内に保持され、締結部材の締め付け解除時には、上記ガイドフィンガーに対して当接するようにして成る。
【０００９】
このようにして、本発明の締結部材によれば、情報を記憶、且つ送信できるようにした電子部品が締結部材の保全性の表示器にもなる。この部品の保全性の検定は、部品の分解を要せずに、部品の遠隔問い合わせにより行われる。
【００１０】
本発明の一特徴によれば、本部材は、前記プレートとキャップにそれぞれ設けられた第１の溝と第２の溝に係合して上記キャップを上記プレート上の軸方向所定位置に保持するリングを備えて成る。
【００１１】
本締結部材は更に、前記電子部品をハウジング内に保持する保持部材を備えて成るようにしても良い。
【００１２】
ガイドフィンガーが必要でない時に部品に当たらないようにするため、前記ハウジング内の、該ハウジング内に突出する前記部品の端部とガイドフィンガーとの間に剪断ピンが更にキャップに配置されて成るようにしても良い。同様に、前記プレートが僅かに長円の形状を呈し、締め付け力も締め付け解除力も印加されないとき前記キャップが回転しないように構成しても良い。
【００１３】
本発明の一特徴によれば、前記キャップはＰＶＣから成り、前記ネジ部及びプレートはステンレススチールから成る。
【００１４】
本発明のもう一つの特徴によれば、電子部品は受動型のトランスポンダ、又は電力供給手段を備えたトランスポンダである。
【００１５】
電子部品のデータ記憶手段はデータ暗号化手段を備えても良く、プログラマブル又はマルチページ形式のものであっても良い。
【００１６】
本発明の一特徴によれば、本締結部材は更に第２の遠隔問い合わせ可能な電子部品を備え、該第２の部品がキャップ内、前記凹部の外側に位置付けられて成る。従って、第１の部品が壊れた後でも、締結部材内のデータを読取る手段がなお残るようにする。
【００１７】
本発明の他の特徴及び利点は、添付図面を参照して非限定実施例として示す特定実施態様の以下の記載から明らかになろう。
【発明を実施するための最良の形態】
【００１８】
記載を不要に複雑化するのを避けるため、本発明を主としてネジボルト式締結部材に付いて述べる。だが、本発明は締付けにより固定される他の種の締結部材（ファスナー）の何れにも適用できることは明らかであろう。
【００１９】
図１は本発明による締結部材の一実施例を構成する種々の要素を示している。
【００２０】
この実施例では、締結部材には、部品又は構造内でナット又は機械加工ネジと係合するように設計されたネジ山１５１を有する突出部１５０が含まれる。そして、締結部材を構成するヘッド１００は主としてこのネジ部１５０と一体のプレート１１０と、キャップ１２０から形成され、このキャップはプレート１１０と組み合わされてこれを覆い、締結部材のヘッドの外側部を形成している。この目的のためキャップ１２０は、スパナ又はレンチ等の締め具１２５と係合可能な六角形状の上部１２５を有している。キャップの上部１２５の形状は種々変更が可能である。それは締結部材の機能（例えば密封、圧締め、制動等）、及び係合する閉め具による。従って上部１２５は例えばプリズム（六角又は四角）形状を取る場合もあり、或いは駆動切り欠きが設けられた円筒状又は球状ドーム形状を取る場合もある。
【００２１】
本発明によれば、キャップ１２０は電子部品１３０を収容できるように配置されている。この目的のため、キャップの内部には凹部１２１が加工により設けられ、部品１３０のハウジングを形成している。この凹部の底部は一部更に加工され、未加工部１２７より深い部分１２８を画成するオフセット部を形成している。この実施例では、電子部品１３０は凹部１２１の部分１２７にもたれて保持されている。だが、部分１２７は電子部品１３０より長さが短いため、この部品の一部１３３は一旦部分１２７の底部に接触すると、図２に示すように部分１２８内に突き出るようになっている。
【００２２】
電子部品１３０がキャップに確実に保持されるようにするため、これを部分１２７の底部に接着する。部品の保持はまた、部品に対して圧縮保持されるようにしたスプレッダを用いても強化できる。図示の実施例ではスプレッダは、圧縮時にプッシャ１４１に推力を及ぼすピストン１４２から成る。このため、プレート１１０にはスプレッダ１４０のピストン１４１を収容し、深さが静止時のピストン１４２の高さより浅い空洞１１３が備わるようにする。従って、キャップ１２０がプレート１１０に取り付けられると、図２に示すようにスプレッダ１４０は両者間で圧縮され、電子部品に支持力を及ぼし、例えば時間が経って接着剤が効かなくなった場合にも、電子部品が確実に保持されるようにする。
【００２３】
キャップ１２０をプレート１１０上に保持するため、プレート１１０の外周に形成された溝１１２には保持リング１１４が含まれている。溝１１２から突出する保持リングの部分は、キャップ１２０に形成された溝１２６により、キャップをプレート上に位置付けるのに用いられる。従って、図２に示すように、キャップ１２０の溝１２６に保持リング１１４が係合し、プレート上のキャップの保持を確実にする。キャップをプレートに対して回転自在に保ちながらキャップを軸方向に保持できる他の保持具も用いることもできる。
【００２４】
キャップ１２０がプレートに対して自由に回転するようになっているため、ガイドフィンガー１１１がプレート１１０の上面に固定され、キャップが締め方向に回されるとプレートに回転運動を与えるようになっている。その場合、ガイドフィンガー１１１はキャップ内の凹部１２１の縁１２２が圧力を及ぼす係止部を形成し、プレートを締め方向に回転させる。本例を図示する図２に示すように、締付け力が方向Ｓに加えられると、キャップ１２０内の縁部１２２がガイドフィンガー１１１に接触し、キャップに加えられた回転力がプレート１２０に伝えられる。これにより、締結部材は通常のネジと同様、締めることができる。
【００２５】
本発明では、保全性の検証を速やかに、且つ分解せずに行える締結部材を提供することが目的であった。この目的の達成のため、電子部品１３０をこの保全性の指標として用いている。その動作は次の通りである。電子部品を遠隔問い合わせ可能とすることができることから、電子部品が最早問い合わせができない程度まで損傷されていれば、これにより、装置が承認無しに操作されたかどうかを立証することができるようになる。言い替えれば、本発明による締結部材の保全性は電子部品の機械的、従って電子的保全性により示される。
【００２６】
更に詳しくは、ガイドフィンガー１１１はネジ部１５０と反対の側に垂直に延び、キャップがプレート上に位置付けられるとき部分１２８の深さより高さが僅かに小さい。図２を参照して、部分１２８内にあるガイドフィンガーの端部はこの部分内に突出する部品の端部１３３の上に位置しているのが分かる。従って、ガイドフィンガー１１１の一部は、キャップを緩める方向に回すとき部品の端部に接触することになろう。従って、本発明の原理によれば、締結部材を緩めようとすればどうしても部品の破損をもたらすことになる。
【００２７】
図１に示すように、電子部品１３０は、電子チップ１３２とアンテナ１３１が配設された基板１３３から成る。アンテナ１３１は基板全周に亘って延びる巻線から成る。この巻線の一端は電子チップ１３２に接続されている。チップ１３２は基本的に、読取りのため、そして要すれば書込みのためアクセス可能な電子データ記憶回路から成る。記憶回路内のデータの読取り、そして場合によっては、書込みは無線周波伝送により、特にアンテナ１３１を介して行われる。アンテナ１３１を構成する巻線が切れると、アンテナは動作不能になり、電子チップ１３２と周囲の間にはそれ以上伝送が行われ得ず、電子部品１３０に破損が生じたこと、従って不法近接があったことを表示する。
【００２８】
図３Ｂは、そのような不法近接を示している。力Ｄをネジ戻し方向、即ち締め付け解除方向に加えて締結部材をネジ戻そうとすると、部分１２８内に突出する電子部品１３０の端部１３３にガイドフィンガー１１１が衝突する。部品から破片１３３Ａが切り離される。破片１３３Ａの分離はアンテナ１３１の破断と同等であるので、電子チップ１３２との通信は最早無くなる。従って、電子部品の破片がガイドフィンガー１１１で切り離され、アンテナの破断を生ずるためには、部品１３０がハウジング１２８内に十分に延びていることが必要である。
【００２９】
本発明による締結部材に用い得る電子部品の一例は、ＴＡＧＳＹＳ社によるトランスポンダの一モデル（Ａｒｉｏ  １０／Ｒ／０又はＡｒｉｏ  ４０Ｒ／Ｗ）であり、これは一辺１３．６ｍｍ、厚み１ｍｍの方形に記憶容量２Ｋビットを有するようにしたものである。これは、アンテナを単にデータ送信のためだけでなく、活性化電界を受信して電気エネルギーをチップの電子回路に供給するために用いる、受動型トランスポンダである。電子回路の記憶機構には、締結部材の識別に供する独特のコードが特に含まれている。
【００３０】
トランスポンダの記憶装置に記憶された、締結部材の識別点や関連する財産又はシステムに関する情報の読取りは例えば、図４に示す可搬式リーダ５０を用いて行うことができる。一例として、ＭＩＮＥＣ社による、商品名「ＭＥＭＯＲ２０００」の下に知られている可搬式リーダを電力供給と、周波数１３．５６ＭＨｚでのトランスポンダによるデータ読取りのために用いることができる。そのようなリーダには表示画面５１、キーパッド５２及び／又は問い合わせデータ記憶手段が備わる。リーダはトランスポンダを無線周波数（ＲＦ），例えば１３．５６ＭＨｚで起動する。この波がトランスポンダ回路のキャパシタンスを充電する。後者が放電すると、トランスポンダのメモリに書き込まれた情報コード又はアイテムがリーダに送られる。
【００３１】
各トランスポンダからの問い合わせ可能なコード及び／又は情報はこのようにしてリーダ５０に送られ、且つ画面５１上に表示され、且つ／或いはそのメモリに記憶され、或いは直列リンクを介してコンピュータに移される。締結部材の識別番号（即ちトランスポンダコード）と、例えば設置した検査者の場所及び／又は名前及び／又は設置時の日付等の組み合わせデータとの相関は、ソフトウェアが設定することができる。このように構成されたシステムにより、殆どの用途に対して十分な、上限３０ｃｍまでの距離からデータを読取ることができる。
【００３２】
また、検査点が一定の場合には、より離れた距離での読取りが可能な形状大きさのアンテナを備えた種々の非可搬式リーダを用いれば良い。
【００３３】
上記形式のトランスポンダは極めてコンパクトな寸法を表示でき、ネジ等の締結部材のヘッドへの組み込みが簡単なことから本発明に特に適している。更に、部品の基体がシリコン等の脆い材料から成るので、破断が容易であり、部品又は少なくともそのアンテナの分解を殆ど抵抗無しに行うことができる。
【００３４】
また、蓄電池等の自給式電源を電子チップ１３２に連結させてそのエネルギー供給源としたトランスポンダを電子部品１３０として用いることもできる。この場合には、電源の組み込みを可能にするため、付加的ハウジングをキャップ内に設ける必要がある。
【００３５】
このように本発明による締結部材の設計はその保全性を、見えないが極めて簡単で迅速な方法で検証可能にしている。即ち、締結部材を緩めようとすれば、部品が機械的に壊れることによって罰せられると云うことである。このようにして、部品の、従って締結部材の保全性を、リーダを用いて検査することができる。リーダの問い合わせに部品が応答しないと、部品が破壊されていて、部材の保全性が疑わしいことを意味する。
【００３６】
締結部材の組み立て時にキャップ１２０をプレート１１０上に位置決めするガイドとして作用するように、剪断可能なピン１２４（図１及び図２）を部分１２８に嵌め込むようにしても良い。即ち、ピン１２４を縁部１２２から所定の距離に位置付け、ガイドフィンガー１１１の端部を収容する空間を設ける。このようにして、ピンが有ることで、キャップの位置決めが容易になるだけでなく、締結部材が不法近接によらない振動や衝撃を（輸送、取り扱い等の間に）受けても電子部品がガイドフィンガーに不必要時に衝突しないようにする。ピン１２４は剪断可能であって、部材が緩められるかネジをはずそうとしている時には、ピンが部品を破断することを防げないようにしなければならない。例えば、ピンがガイドフィンガーの材料より弱い材料から成るようにするか、或いは破断を容易にするため切り込みを備えるようにする。
【００３７】
また、キャップが例えばＰＶＣ等の易変形材料から成る場合は、プレートを僅かに長円状にし、プレート上でのキャップの回転滑動に対抗するようにする。図５の例では、プレート２１０は僅かに長円の形状を示し、易変形材料のキャップ２２０がその上に配置されていると、長円の横座標の両端における接触点に対応する２つの接触力Ｆを発生する。その場合、プレート上のキャップの自由回転をこれ等の接触力が制限し、部品とガイドフィンガーが不必要時に接触しないようにしている。
【００３８】
本発明の一特徴によれば、キャップがＰＶＣの場合、プレートとネジ部はステンレススチールから成るようにすることができる。より一般には、特に周波数１３．５６ＭＨｚで電磁波の通過を妨げないどんな物質でもキャップの材料として想定することができ、例えばテフロン（登録商標）、ナイロン又はファイバガラスから成るようにしても良い。
【００３９】
締結部材の保全性を検査すると共に、部材に関するデータの読取りを続けたい場合には、不法近接の場合でも、本発明の第２の発明によれば、電子部品１３０と同一の形式のもので、遠隔問い合わせ可能な第２の部品を備えるようにすることができる。この付加部品はガイドフィンガーの邪魔にならないヘッドの部分に位置付けられ、部材の操作中に保護されるようにしなければならない。この発明の一例を示す図６に示されている締結部材は、第２の部品３６０を、キャップ３２０の上部に位置付け、ガイドフィンガー３１１から保護するように付加したこと以外は、図１及び２に示したものと同一であり、緩められようとした場合に第１の部品３３０が破断するようにしたものである。その場合、キャップ内の凹部３２１の底部には、この付加部品を収容するためのハウジングが加工により更に設けられている。ガイドフィンガーの動きの邪魔にならず、この付加部品を収容するのに適していれば、キャップ内の他のどんな場所も用いることができる。
【００４０】
図７に示す実施例は図１〜５に付いて記載したものと同様に動作し、勿論、上記の特徴全てを含むようにして良い。従って、簡略化のため、それ以上の詳細に付いては述べない。
【００４１】
封緘の原理は、損傷を受けずに一回だけ貼り付けられると云うことである。本発明による締結部材は、それと同じ要求条件を満たすものであって、数多くの用途がある。図７に示す締結部材４００は上記のものと同種のもので、例えば容器又はエンジン部品に属する室４１２に蓋４１１で封をするのに用いられる。この場合、締結部材４００のネジ部４５０は、パート３１２の材料に直接切削形成されたネジ山にねじ込まれる。蓋４１１を取ろうとするどんな試みも、上記のような保全性検査により検出可能となる。
【００４２】
図８に示すもう一つの例によれば、締結部材はボルトのネジとして用いることができる。この場合、各締結部材５００には、２つの素材５１１、５１２同士の締め付け、固定を可能にするためのナット５７０が付随する。素材５１１は例えば、素材５１２としての室を閉じる蓋である。素材５１１、５１２にはフランジ５１１Ａ、５１２Ａが備わり、締結部材５００のための遊び穴がこれ等のフランジに設けられている。このようにして形成された装置は、ナット５７０を緩めることによる、締結部材を引き抜こうとする試みがあっても、保全性がここでも保障される。これは、ナットが緩められるためには、締結部材のヘッドを固定して、ナットと共に回転しないようにすることが必要であるからである。このようにして、ナットに緩め力が加えられると、ナットの回転、従ってガイドフィンガーが部品に押し付けられることにより部品が壊れると云う結果が直ちにもたらされる。
【００４３】
本発明による締結部材は次のような利点をもたらす。
【００４４】
識別コード等の情報を、固定された締結部材の分解又は損傷を伴わずに、読取ることができる。
【００４５】
可搬式リーダを用いて締結部材を識別し、問い合わせることにより、検査操作が容易になる。リーダを各検査位置に単にもってくれば良い。
【００４６】
封緘に記憶されたデータは、簡単なコンピュータ直列リンクを通して容易に収得が可能である。そのように抽出されたデータを次いで迅速に処理でき、識別を急速化、低廉価にすることができる。
【００４７】
マルチページトランスポンダを用いて、封緘材又は封緘物の性質、出所、輸送ステージ又は起程点に関する情報等の種々の情報を記憶でき、このことが締結部材の可能な用途を更に広げる。例えば、旅程が多数段を含む場合、そのような情報は不法近接の場所と日時の決定に有用なことがある。
【００４８】
トランスポンダの回路が暗号化プログラム手段を含む場合は、締結部材に記憶されたデータをコード化、又は暗号化してセキュリティレベルを更に高めることができる。
【００４９】
本締結部材の製造費は低く（約５ユーロ下）、その耐用年数は長い（受動トランスポンダでの締結部材では約１０年）。
【００５０】
本締結部材の保全性の検査は簡単、且つ迅速である。リーダが記憶された情報を検出できなければ、部材を緩めようとする試みがなされたと云うことである。
【図面の簡単な説明】
【００５１】
【図１】本発明による締結部材の分解組立斜視図である。
【図２】図１の面ＩＩを断面とする、本発明による締結部材の概略図である。
【図３Ａ】図２の面ＩＩＩを断面とする、本発明による締結部材の、締め力印加時の概略図である。
【図３Ｂ】図２の面ＩＩＩを断面とする、本発明による締結部材の、緩み力印加時の概略図である。
【図４】可搬式リーダの一例を示す斜視図である。
【図５】本発明による締結部材の一変更例を示す概略図である。
【図６】付加部品を含む、図１における締結部材の変更例を断面で示す概略図である。
【図７】本発明の一適用例を示す斜視図である。
【図８】本発明のもう一つの適用例を示す斜視図である。
【図１】
2006504912.tif 000003
【図２】
2006504912.tif 000004
2006504912.tif 000005
【図４】
2006504912.tif 000006
【図５】
2006504912.tif 000007
【図６】
2006504912.tif 000008
【図７】
2006504912.tif 000009
【図８】
2006504912.tif 000010
【手続補正書】
【提出日】平成16年11月22日(2004.11.22)
【手続補正１】
【補正対象書類名】特許請求の範囲
【補正対象項目名】請求項１
【補正方法】変更
【補正の内容】
【請求項１】
ネジ部（１５０）と、このネジ部を回転して締結部材を対応部材に締め込むことのできるヘッド（１００）とを備える締結部材であって、
上記ヘッド（１００）がネジ部（１５０）と一体のプレート（１１０）と、このプレートを覆うキャップ（１２０）から成り、
キャップ（１２０）には、ハウジング（１２８）を形成するオフセット付き凹部（１２１）が備わり、
キャップ（１２０）は更に、データ記憶手段（１３２）を備えた、遠隔問い合わせ可能な電子素子（１３０）を備え、
プレート（１１０）には上記ネジ部の反対側から垂直に延びるガイドフィンガー（１１１）が備わり、このフィンガーはハウジング（１２８）の内側に位置してキャップの押圧を受ける係止部を形成し、プレートを締め付け方向に回転移動するようにして成り、
前記電子素子（１３０）は、ハウジング（１２８）内で突起（１３３）を形成しつつ凹部（１２１）内に保持され、締結部材の締め付け解除時には、ガイドフィンガーに対して当接するようにして成ることを特徴とする締結部材。
【手続補正２】
【補正対象書類名】明細書
【補正対象項目名】０００６
【補正方法】変更
【補正の内容】
【０００６】
例えば、特許出願ＵＳ２００２／０４４０６３は、締結手段であって、ネジ切りされた部分と、このネジ切りされた部分を回転させることで締結手段を対応する要素内に締結させるヘッド部分からなる締結手段を記載している。前記ヘッド部分は、ネジ切りされた部分と一体の板状部と、この板状部を覆うキャップとからなっている。このキャップは切り欠き部を有し、切り欠き部にはオフセット部が設けられ、ハウジングを形成している。このキャップは更に、データ貯蔵手段を含む遠隔問い合わせ可能な電子素子を備えている。
だが、現在利用可能な電子手段付き封止装置は複雑、且つ高価である。そして、一般に特定の目的に対して設計されたものであり、任意の対象物に用いることはできない。そして、機械構造が脆く、そのため取り扱いや輸送中に損傷を受け易く、これが用途を更に制限する要因となっている。
【手続補正３】
【補正対象書類名】明細書
【補正対象項目名】０００８
【補正方法】変更
【補正の内容】
【０００８】
これ等の目的を達成する締結部材はネジ部と、このネジ部を回転して締結部材を対応部材に締め込むことのできるヘッドとを備える締結部材であって、
上記ヘッドが上記ネジ部と一体のプレートと、このプレートを覆うキャップから成り、このキャップには、ハウジングを形成するオフセット付き凹部が備わり、このキャップには更にデータ記憶手段（１３２）を備えた、遠隔問い合わせ可能な電子素子を備えている。一つの重要な観点は、上記プレートには上記ネジ部の反対側から垂直に延びるガイドフィンガーが備わり、このフィンガーは上記ハウジングの内側に位置して上記キャップの押圧を受ける係止部を形成し、上記プレートを締め付け方向に回転移動するようにして成り、上記電子素子は、上記ハウジング内で突起を形成しつつ上記凹部内に保持され、締結部材の締め付け解除時には、上記ガイドフィンガーに対して当接するようにして成る。


【国際調査報告】
2006504912.tif 000011
2006504912.tif 000012
2006504912.tif 000013
2006504912.tif 000014